(57)【要約】【課題】蓄光材又は／及び蛍光材を備える道路標示に対して、道路標示の各部分の発光輝度がなるべく均等になるように光を照射する手段を備えた道路標示照射装置などを提供する。【解決手段】蓄光材又は／及び蛍光材を備える道路標示に対して光を部分照射する光源と、前記光源からの道路標示に対する光の全部または一部の照射位置を動かす光源作動部と、所定時間内に道路標示の略全体が光源からの光の照射を受けるように光源作動部の動きを制御する制御部とを有する道路標示照射装置を提供する。また、当該道路標示照射装置と蓄光材又は／及び蛍光材を備える道路標示とを有する道路標示照射システム、当該道路標示照射装置を用いた道路標示照射方法及び当該道路標示照射装置を用いた道路標示照射にかかる処理を実行させるためのプログラムを提供する。【選択図】図１
2015005455.tif 000002
【特許請求の範囲】
【請求項１】
蓄光材又は／及び蛍光材を備える道路標示に対して光を部分照射する光源と、
前記光源からの道路標示に対する光の全部または一部の照射位置を動かす光源作動部と、
所定時間内に道路標示の略全体が光源からの光の照射を受けるように光源作動部の動きを制御する制御部と、
を有する道路標示照射装置。
【請求項２】
前記制御部は、
道路標示の発光輝度がほぼ均一になるように、光源から道路標示の各照射位置までの距離に応じて光源からの光の照射量が略一定になるように道路標示の各照射位置に対する照射時間を制御する照射時間制御手段を有する請求項１に記載の道路標示照射装置。
【請求項３】
前記光源作動部は、光の照射位置を動かすための光反射板を有する請求項１又は２に記載の道路標示照射装置。
【請求項４】
前記光源作動部は、光の照射位置を動かすための光透過レンズを有する請求項１から３のいずれか一に記載の道路標示照射装置。
【請求項５】
前記光源は紫外線光源及び可視光源である請求項１から４のいずれか一に記載の道路標示照射装置。
【請求項６】
請求項１から５のいずれか一に記載の道路標示照射装置と、
蓄光材又は／及び蛍光材を備える道路標示と、
を有する道路標示照射システム。
【請求項７】
前記道路標示は、その表面に蓄光材又は蛍光材を塗布したビーズが配置されている、請求項６に記載の道路標示照射システム。
【請求項８】
請求項１から５のいずれか一に記載の道路標示照射装置を用いた道路標示照射方法であって、
光源から道路標示の各照射位置までの距離をそれぞれ測定する測定ステップと、
測定ステップにて測定した距離に基づいて光源からの光の照射量が略一定になるようにするための道路標示の各照射位置に対する照射時間をそれぞれ算出する算出ステップと、
前記算出ステップにて算出した照射時間に従って前記光源からの道路標示に対する光の全部または一部の照射位置を動かす光源作動ステップと、
を有する道路標示照射方法。
【請求項９】
コンピュータに、請求項１から５のいずれか一に記載の道路標示照射装置を用いた道路標示照射にかかる処理を実行させるためのプログラムであって、
光源から道路標示の各照射対象部分までの距離をそれぞれ測定する測定ステップと、
測定ステップにて測定した距離に基づいて光源からの照射量が予め定められた一定値になるようにするための道路標示の各照射対象部分に対する照射時間をそれぞれ算出する算出ステップと、
前記算出ステップにて算出した照射時間に従って光源の照射方向を変更する変更するテップと、
を実行させるためのプログラム。
【発明の詳細な説明】
【技術分野】
【０００１】
本発明は、蓄光材又は／及び蛍光材を備える道路標示に対して光を照射するための道路標示照射装置、道路標示照射システム、道路標示照射方法及びプログラムに関する。
【背景技術】
【０００２】
横断歩道などの道路標示を歩行者やドライバーが夜間でも容易に視認できるようにするため、道路標示に蓄光材又は／及び蛍光材を備え、この道路標示に対して道路標示近傍に設けた光源からの光を照射することで道路標示を発光させるようにした装置が従来から知られている。例えば、特許文献１には、蛍光物質およびりん光物質を含有する塗料を道路面に塗布して横断歩道の白線を形成し、この白線に向けて近紫外線ランプから近紫外線を照射する装置が開示されている（特許文献１参照）。
【先行技術文献】
【特許文献】
【０００３】
【特許文献１】特開平１０−４６５２９号公報
【発明の概要】
【発明が解決しようとする課題】
【０００４】
道路標示近傍に設けた光源から道路標示を照射する場合、固定された方向を照射するように設けられた光源から道路標示全体を照射するだけでは、光源から道路標示の各部分までの距離に違いがあることから、道路標示の各部分によって照射量が異なったものとなり、これに応じて発光輝度にも違いが生じる。具体的には、同じ時間照射した場合であっても、道路標示のうち光源に近い部分は照射量が大きいため発光輝度が高いものとなり、夜間における視認性を良好に維持できるのに対し、光源から離れた部分は照射量が小さく発光輝度が低いものとなり、夜間における視認性が悪くなってしまう。従って、このような照射方法では道路標示全体の夜間における視認性を良好に維持することが困難であるという問題が生じる。
【０００５】
この点は、光源の数が単数である場合だけでなく、光源の数を複数にした場合であっても基本的に同様である。例えば道路の両側に一つずつ、計二つの光源を備えた場合であっても、道路の両端付近では道路標示の発光輝度が高いのに比べて、道路の中央付近では道路標示の発光輝度が低くなり視認性が悪くなってしまう。
【０００６】
歩行者やドライバーが夜間でも安全に通行できるように道路標示を容易に視認できるようにするためには、道路標示のどの部分にも光源から十分な照射量の光が届くようにして、道路標示の各部分が十分な発光輝度を保つことができるようにする必要がある。さらには道路標示の各部分の発光輝度がなるべく均等になるようにすることが望ましい。しかし、従来このようなものは知られていなかった。
【０００７】
本発明はこのような点に鑑みたものである。即ち、本発明の解決すべき課題は、蓄光材又は／及び蛍光材を備える道路標示に対して、道路標示の各部分の発光輝度がなるべく均等になるように光を照射する手段を備えた道路標示照射装置を提供することにある。また、このような道路標示照射装置と蓄光材又は／及び蛍光材を備える道路標示とを有する道路標示照射システム、当該道路標示照射装置を用いた道路標示照射方法及び当該道路標示照射装置を用いた道路標示照射にかかる処理を実行させるためのプログラムを提供することにある。
【課題を解決するための手段】
【０００８】
以上の課題を解決するため、本発明のうち、第一の発明は、蓄光材又は／及び蛍光材を備える道路標示に対して光を部分照射する光源と、前記光源からの道路標示に対する光の全部または一部の照射位置を動かす光源作動部と、所定時間内に道路標示の略全体が光源からの光の照射を受けるように光源作動部の動きを制御する制御部とを有する道路標示照射装置を提供する。
【０００９】
また、第二の発明は、第一の発明を基礎として、前記制御部は、道路標示の発光輝度がほぼ均一になるように、光源から道路標示の各照射位置までの距離に応じて光源からの光の照射量が略一定になるように道路標示の各照射位置に対する照射時間を制御する照射時間制御手段を有する道路標示照射装置を提供する。
【００１０】
また、第三の発明は、第一又は第二の発明を基礎として、前記光源作動部は、光の照射位置を動かすための光反射板を有する道路標示照射装置を提供する。
【００１１】
また、第四の発明は、第一から第三のいずれか一の発明を基礎として、前記光源作動部は、光の照射位置を動かすための光透過レンズを有する道路標示照射装置を提供する。
【００１２】
また、第五の発明は、第一から第四のいずれか一の発明を基礎として、前記光源は紫外線光源及び可視光源である道路標示照射装置を提供する。
【００１３】
また、第六の発明は、第一から第五のいずれか一の発明に係る道路標示照射装置と、蓄光材又は／及び蛍光材を備える道路標示とを有する道路標示照射システムを提供する。
【００１４】
また、第七の発明は、第六の発明を基礎として、前記道路標示は、その表面に蓄光材又は蛍光材を塗布したビーズが配置されている道路標示照射システムを提供する。
【００１５】
また、第八の発明は、第一から第五のいずれか一の発明に係る道路標示照射装置を用いた道路標示照射方法であって、光源から道路標示の各照射位置までの距離をそれぞれ測定する測定ステップと、測定ステップにて測定した距離に基づいて光源からの光の照射量が略一定になるようにするための道路標示の各照射位置に対する照射時間をそれぞれ算出する算出ステップと、前記算出ステップにて算出した照射時間に従って前記光源からの道路標示に対する光の全部または一部の照射位置を動かす光源作動ステップとを有する道路標示照射方法を提供する。
【００１６】
また、第九の発明は、コンピュータに、第一から第五のいずれか一の発明に係る道路標示照射装置を用いた道路標示照射にかかる処理を実行させるためのプログラムであって、光源から道路標示の各照射対象部分までの距離をそれぞれ測定する測定ステップと、測定ステップにて測定した距離に基づいて光源からの照射量が予め定められた一定値になるようにするための道路標示の各照射対象部分に対する照射時間をそれぞれ算出する算出ステップと、前記算出ステップにて算出した照射時間に従って光源の照射方向を変更する変更するステップとを実行させるためのプログラムを提供する。
【発明の効果】
【００１７】
本発明により、蓄光材又は／及び蛍光材を備える道路標示に対して、道路標示の各部分の発光輝度がなるべく均等になるように光を照射する手段を備えた道路標示照射装置を提供することが可能となる。また、このような道路標示照射装置と蓄光材又は／及び蛍光材を備える道路標示とを有する道路標示照射システム、当該道路標示照射装置を用いた道路標示照射方法及び当該道路標示照射装置を用いた道路標示照射にかかる処理を実行させるためのプログラムを提供することが可能となる。
【図面の簡単な説明】
【００１８】
【図１】実施例１の道路標示照射装置の概要を示す概念図
【図２】実施例１の道路標示照射装置の機能ブロックの一例を示す図
【図３】実施例１の道路標示照射装置を用いた道路標示照射方法における処理の流れの一例を示す図
【図４】実施例２における光源作動部の構成の一例を示す図
【符号の説明】
【００１９】
０１００、０２００    道路標示照射装置
０１０２、０２０２    道路標示
０１１０、０２１０    光源
０１２０、０２２０    光源作動部
０２３０    制御部
【発明を実施するための形態】
【００２０】
以下に、本発明の実施例を説明する。実施例と請求項の相互の関係は以下のとおりである。実施例１は主に請求項１、請求項２、請求項３、請求項５、請求項６、請求項８、請求項９などに関し、実施例２は主に請求項４などに関し、実施例３は主に請求項７などに関する。なお、本発明はこれら実施例に何ら限定されるものではなく、その要旨を逸脱しない範囲において、種々なる態様で実施しうる。
【実施例１】
【００２１】
<概要>
【００２２】
本実施例の道路標示照射装置は、蓄光材又は／及び蛍光材を備える道路標示に対して光を部分照射する光源を備えるともに、所定時間内に道路標示の略全体が照射を受けるように光源からの光の照射位置を動かすための手段（制御手段と、この制御基づく光源の作動手段）を有するものである。また、これに加えて、道路標示の発光輝度がほぼ均一になるように光源から道路標示の各照射位置までの距離に応じて光源からの光の照射量が略一定になるように道路標示の各照射位置に対する照射時間を制御する手段を有するものや、光源作動手段が光の照射位置を動かすための光反射板を有するものも本実施例の道路標示照射装置に含まれる。
【００２３】
<構成>
【００２４】
（全般）
【００２５】
図１は、本実施例の道路標示照射装置の概要を示す概念図である。本実施例の道路標示照射装置０１００は、光源０１１０と、光源作動部と、制御部とを有する。本図では、光源作動部は、光源からの光を道路標示０１０２に向けて反射するための光反射板０１２０を有する例で示した。また、制御部は光源作動部を制御するためのコンピュータなどであり、本図の例ではボックス０１３０の中に収納されている。また、これら光源、光反射板及びボックスは例えば道路の一方の側に立設された信号機用柱０１０１に取り付けられている。（ｄ）はこれらの取付け状況を見やすくするため、(ａ)のうち概ね破線０１０３で囲んだ部分を拡大して示したものである。
【００２６】
本図の例では、光源を固定した場合の光の照射範囲は道路標示の一部を照射する範囲に限れられている。そこで、制御部が光源作動部（本例では光反射板）の動きを制御して光源からの照射方向を変化させることで、光源からの光が一定時間内に道路標示のすべての部分を照射するようにしている。光源からの光が一定時間内に道路標示のすべての部分を照射するための具体的な構成については後述する。
【００２７】
本図の例では、光源からの光の照射範囲を（ａ）、（ｂ）、（ｃ）の順に時系列で示している。まず（ａ）は、光源からの光が道路標識のうち光源側の道路端部分だけを照射している状態である。（ｂ）は、反射板の向きを変えることで、光源からの光が道路標識のうち道路の中央付近だけを照射している状態である。（ｃ）は、反射板の向きをさらに変えることで、光源からの光が光源とは反対側の道路端部分だけを照射している状態である。その後再び（ａ）の状態に戻って照射を行い、以後も同様の手順を繰り返せばよい。本図の例は説明の簡単のため道路標識を三つの範囲に分けて照射する例としているが、同時に照射されるエリア内の光源からの距離をできるだけ等しくするため、道路標識をさらに細かいエリアに区分してもよい。また、その際に、各エリアを一定時間ずつ固定して照射してもよいし、絶えず照射方向を動かしながら照射するようにしてもよい。
【００２８】
本実施例の道路標示照射装置の照射対象となる道路標示には蓄光材又は／及び蛍光材が備えられる。例えば、照射対象となる道路標示として、一定の照射量の光を約１５秒照射すると約１５分間の発光が可能であるような蓄光材が塗布されたものを用いることができる。そこで、例えばこのような道路標示に対し、三つに分けたエリアごとに上述のような要領で約１５秒ずつ順次照射していき、その後も約１５分おきに順次照射を繰り返していけば、道路標識の略全体を継続的に発光させることが可能となる。
【００２９】
図２は、本実施例の道路標示照射装置の機能ブロックの一例を示す図である。以下、本図に基づいて、本実施例の道路標示照射装置の各構成要素について、詳細に説明する。
【００３０】
本実施例の道路標示照射装置０２００は、蓄光材又は／及び蛍光材を備える道路標示０２０２に対して光を部分照射する光源０２１０と、前記光源からの道路標示に対する光の全部または一部の照射位置を動かす光源作動部０２２０と、所定時間内に道路標示の略全体が光源からの光の照射を受けるように光源作動部の動きを制御する制御部０２３０とを有する。
【００３１】
道路標示とは、一般に道路面上に白色の塗料などで描かれた横断歩道、歩行者用路側帯、安全地帯などの交通標識をいう。本実施例の道路標示照射装置の照射対象となる道路標示にはこれらすべてが含まれ得る。本発明に用いられる道路標示には蓄光材又は／及び蛍光材が備えられている。蓄光材としては、アルミン酸ストロンチウム系のものや硫化亜鉛系のものなどが用いられる。蛍光材としては、ウラニン、エオシン等の有機蛍光顔料や、タングステン酸カルシウム、ユーロピウム含有リン酸ストロンチウム等の無機蛍光顔料などが用いられる。
【００３２】
（光源）
【００３３】
光源は、蓄光材又は／及び蛍光材を備える道路標示に対して光を部分照射するように構成されている。ここで「部分照射」とは、後述の光源作動部の作動によって照射位置を動かさない限り道路標示の一部分だけを照射することをいい、全面を照射するものではないことをいう。ただし、全面を照射するものでなければすべて部分照射に含まれるので、例えば道路標示の大部分を照射するものであってもよい。
【００３４】
道路標示には蓄光材又は／及び蛍光材が備えられる。例えば、光源からの光はその照射方向を変えながら道路標示を順次照射していくものを想定しているので、蛍光材だけを備える道路標示は想定されない。なぜなら、蛍光体は照射されている間しか発光しないので、蛍光体だけを備える場合には、道路標示全体が同時に明るく視認できるようにすることができないからである。そこで、通例、道路標示には蓄光材のみが備えられるか、道路標示の一部に蓄光材を備えるとともに残部に蛍光材が備えられる。このように少なくとも道路標示の一部に蓄光材を備えるようにすることで、道路標示の略全体を発光させることが可能となる。
【００３５】
もっとも、光源からの光の照射範囲が同時に道路標示の大部分に及ぶ場合には、道路標示に蛍光材のみが備えられていてもよく、このような構成の場合、光源作動部の作動により照射位置をわずかに動かすだけで、あるいは場合によっては照射位置をまったく動かさなくても、道路標示の略全体をほぼ同時に発光させることが可能となる。
【００３６】
（光源：種類）
【００３７】
光源の種類は、紫外光源であっても可視光源（白色光源）であってもよい。ただし、紫外光源の場合は、道路標示の表面が紫外光を透過する材料からなることが必要である。即ち、通例蓄光材を備えた道路標示は、路面上に例えばアルミン酸ストロンチウム系の蓄光材のような短時間の照射で高輝度の発光が得られるような蓄光材を塗布し（さらにその下に酸化チタン等からなる反射材を塗布してもよい）、その上に蓄光材を保護するための透明材料からなる透明保護層を備えるが、この透明保護層が紫外光を透過する性質のものであることが必要となる。かかる透明保護層の材料としては、例えば石英が挙げられる。
【００３８】
一方、光源として可視光源を用いる場合はかかる制約はなく、透明保護層の材料として、例えば透明アクリル樹脂などを用いることができる。
【００３９】
（光源作動部）
【００４０】
「光源作動部」は、光源からの道路標示に対する光の全部または一部の照射位置を動かすように構成されている。この作動は、次に述べる制御部の制御によって行われる。
【００４１】
ここで、「照射位置」とは、道路標示において光源からの光が照射されている位置をいう。例えば、図１（ａ）に示したような、道路標示の光源側に近い１／３程度のエリアが照射されている状態では、このエリアが照射位置となる。
【００４２】
照射位置を動かすための方法としては、光源自体を動かす方法と、光源自体は固定した上で、光源近傍に設けられた反射板やレンズなどの部材を動かすことで照射方向を動かす方法が考えられ、どちらの方法を用いてもよい。あるいは両者の方法を組み合わせたものであってもよい。さらに、後者の方法において、例えば反射板とレンズの両方を備え、これら両方を動かす（これに加えて光源自体を動かしてもよい）というように複数の光源近傍の部材の動きを組み合わせて照射位置を動かすようにしたものであってもよい。なお、これらのいずれの場合にも公知の方法を用いることが可能である。
【００４３】
前出の図１の例は、光源自体は固定した上で、光源近傍に設けられた部材である反射板を動かすことで照射方向を動かす一例を示すものである。この場合の光源は、ＬＥＤ、レーザー光源のようにそれ自体が指向性を有するもの、あるいは光源の周囲に傘などを設けることで光源からの光が指向性を有するものである。これにより光源からの光が一定の方向を照射するようになっている。また、反射板は、例えばモータに接続され、その駆動力によって機械的に方向を変えることができるようになっている。そこで、このような機械的な駆動により、（ａ）〜（ｃ）に示すように、順次光源からの照射方向が動かされていくことになる。
【００４４】
図示を省略するが、光源自体を動かすことにより照射位置を動かす場合には、光源が例えばモータに接続され、その駆動力によって機械的に方向を変えることができるようになっている。
【００４５】
（制御部）
【００４６】
「制御部」は、所定時間内に道路標示の略全体が光源からの光の照射を受けるように光源作動部の動きを制御するように構成されている。これは、道路標示の略全体が同時に発光することで夜間でも道路標示全体を容易に視認できるようにするための構成である。従って、「所定時間内」とは、蓄光材を備えた道路標示の全体が同時に発光した状態を保てるような時間の範囲内という意味である。例えば、前述の約１５秒の照射で約１５分発光する蓄光材を道路標示全体に備えたものに照射する場合には、同一の照射位置に対して、ある回の照射の後、約１５分以内に次回の照射がなされるようなペースで道路標示の各照射位置に対する照射がなされていくことを意味する。
【００４７】
具体的に光源作動部の動きをどのように制御するかについては、例えば、予め所定時間内に道路標示の略全体が光源からの光の照射を受けるようにするための各照射位置への照射時間を演算によって求めておくことで、この演算結果に従って各照射位置への照射がなされるように光源作動部の動きを制御するようにプログラムしておけばよい。
【００４８】
（制御部：照射時間制御手段）
【００４９】
この制御は、より好適には、道路標示の発光輝度がほぼ均一になるように行われる。これにより道路標示全体の夜間における視認がより容易になるからである。このため、本実施例の道路標示照射装置の制御部は、照射時間制御手段を備えていることが望ましい。
【００５０】
「照射時間制御手段」は、光源から道路標示の各照射位置までの距離に応じて光源からの光の照射量が略一定になるように道路標示の各照射位置に対する照射時間を制御するように構成されている。即ち、同じ照射時間で照射した場合、光源から遠い距離にある照射位置に対する照射量は、光源から近い距離にある照射位置に対する照射量に比べて単位時間当たりに照射される照射量が小さいため、相対的に小さいものとなる。また、道路標示の発光輝度は光源からの光の照射量にほぼ比例する。従って、光源からの距離の違いを考慮することなく、各照射位置に対する照射を単純に同じ時間ずつ照射した場合には、道路標示の略全体を同時に発光させることはできるものの、光源から遠い距離にある照射位置の発光輝度は相対的に低いものとなる。即ち、照射位置ごとの発光輝度にムラが生じることとなり、夜間における道路標示の視認の容易性が損なわれてしまう。そこで、道路標示の各照射位置における発光輝度がほぼ均一になるように照射を行うことが望ましく、このための手段が照射時間制御手段である。
【００５１】
照射時間制御手段による照射時間の制御のための具体的な構成としては、例えば、予め所定時間内に道路標示の略全体が光源からの光の照射量が略一定量となるように、距離に応じた単位時間当たりの照射量と照射時間の関係から各照射位置への照射時間を演算によって求めておくことで、この演算結果に従って各照射位置への照射がなされるように光源作動部の動きを制御するようにプログラムしておけばよい。
【００５２】
このプログラムは、具体的には、コンピュータに対して、光源から道路標示の各照射対象部分までの距離をそれぞれ測定する測定ステップと、測定ステップにて測定した距離に基づいて光源からの照射量が予め定められた一定値になるようにするための道路標示の各照射対象部分に対する照射時間をそれぞれ算出する算出ステップと、前記算出ステップにて算出した照射時間に従って光源の照射方向を変更する変更するテップとを処理させるためのプログラムとして保持される。
【００５３】
このプログラムは、道路標示の設置態様が同じであれば同一のものを複数の道路標示に共通して用いることができる。例えば、道路標示が横断歩道の場合であれば、当該横断歩道は道路の道幅一杯に描かれる形で備えられる。そこで、道路の幅員が同じであれば、例えば光源を道路の両端の信号機用柱の同じ高さに設けることとすれば、所定時間内に道路標示の略全体が光源からの光の照射を受けるようにするための制御プログラムの内容は共通のものとなる。従って、このような共通のプログラムを全国の同じ幅員の道路の横断歩道の照射装置用に使用することで、本発明の効率的な利用が可能となる。
【００５４】
（その他：レーザー光を用いた照射により道路標示を作成する例）
【００５５】
本発明にかかる道路標示照射装置においては、蓄光材又は／及び蛍光材を備える道路標示が既に道路上に設置されていることを前提として、これに光源からの光を照射することが想定されている。その際、光源から照射される光はレーザー光であってもよいことは既に述べたが、さらに本発明と関連する発明として、蓄光材又は／及び蛍光材を備える道路標示が設置されていない道路上（蓄光材又は／及び蛍光材を備えない道路標示が設置されていることを妨げない）に、レーザー光を照射するとともに、その照射位置を素早く動かすことで道路標示を作成することも考えられる。レーザー光の照射は、ビルの壁面などにレーザー光で絵画を描く際に用いられる公知のレーザープロジェクタを用いて、照射位置を素早く動かしていくことで所定時間内に道路標示全体を描くようにすればよい。この場合の所定時間内とは人の眼に対する残像効果が残っている間を意味することになる。また、道路標示全体を描き終えた後も、残像効果が残っている間に絶えず道路標示の作成作業を繰り返していくことで、道路標示が描かれている状態を維持することができる。かかる道路標示の作成を好適に実現するためのプログラムとしては、本発明について上述したところと同様の考え方に基づいて、所定時間内に道路標示を描くための道路上の各照射位置への照射が行われるように、レーザー光の照射方向を変化させるための光源作動手段の動きを制御するようにプログラムしておけばよい。
【００５６】
このような発明によれば、例えば道路標示に蓄光材又は／及び蛍光材を備えていないために昼間しか視認できない道路標示が設置されている位置に同じ道路標示を配置して夜間でも視認できるようにしたり、そもそも道路標示が設置されていない道路上に臨時的な道路標示を配置することができるので、例えば、イベント会場など一時的な混雑が予想される場所にレーザープロジェクタなどの機材を持ち込んで簡単に道路標示を作成して混雑を緩和することなどが可能になると考えられる。
【００５７】
（道路標示照射システム）
【００５８】
本実施例の発明は、以上に説明した道路標示照射装置に、蓄光材又は／及び蛍光材を備える道路標示を加えた道路標示照射システムとして構成することも可能である。この場合には、道路標示が本発明の必須構成要素となる。
【００５９】
<処理の流れ>
【００６０】
図３は、本実施例の道路標示照射装置を用いた道路標示照射方法における処理の流れの一例を示す図である。本実施例における処理の流れは、以下のステップを有する。
【００６１】
まず、測定ステップＳ０３０１において、道路標示照射装置は、光源から道路標示の各照射位置までの距離をそれぞれ測定する。
【００６２】
次に、算出ステップＳ０３０２において、道路標示照射装置は、前記測定ステップにて測定した距離に基づいて光源からの光の照射量が略一定になるようにするための道路標示の各照射位置に対する照射時間をそれぞれ算出する。その際、光源の光度が予めわかっているので、当該光源からの距離ごとの単位時間あたり照射量を知ることができ、そこから光源から各照射位置に対する所定の照射量を得るための照射時間をいくらにすればよいかを算出することができる。
【００６３】
次に、光源作動ステップＳ０３０３において、道路標示照射装置は、前記算出ステップにて算出した照射時間に従って前記光源からの道路標示に対する光の全部または一部の照射位置を動かす。
【００６４】
<効果>
【００６５】
本実施例の発明によれば、蓄光材又は／及び蛍光材を備える道路標示に対して、道路標示の各部分の発光輝度がなるべく均等になるように光を照射する手段を備えた道路標示照射装置を提供することが可能となる。また、このような道路標示照射装置と蓄光材又は／及び蛍光材を備える道路標示とを有する道路標示照射システム、当該道路標示照射装置を用いた道路標示照射方法及び当該道路標示照射装置を用いた道路標示照射にかかる処理を実行させるためのプログラムを提供することが可能となる。
【実施例２】
【００６６】
<概要>
【００６７】
本実施例は、実施例１と基本的に共通する。ただし、本実施例では、光源作動部は、光の照射位置を動かすための光透過レンズを有する点に特徴がある。
【００６８】
<構成>
【００６９】
（全般）
【００７０】
本実施例における道路標示照射装置は実施例１における道路標示照射装置と基本的に共通するが、本実施例では、光源作動部は、光の照射位置を動かすための光透過レンズを有する。これは、実施例１で述べた光源作動部の構成のうち、光源近傍に設けられた部材を動かすことで光の照射位置を動かす方法の一例である。
【００７１】
図４は、本実施例における光源作動部の構成の一例を示す図であって、光源近傍に設けられた光透過レンズを動かすことで照射方向を動かす方法の一例を示す概念図である。光透過レンズは、例えばモータ（図示されない）に接続され、その駆動力によって機械的に動かすことができるようになっている。この場合のレンズの動かし方としては、レンズの方向を変えるものであってもよいし、レンズの方向は変えずにレンズと光源の距離を変えるものであってもよい。あるいはレンズの方向とレンズと光源の距離の両者を変えるものであってもよい。
【００７２】
本図の例では、光源０４１０の近傍に光透過レンズ０４２０が設けられ（概念図であるので煩雑を避けるため信号機用柱などへの設置構造については図示を省略したが、例えばレンズを把持するアームを介して信号機用柱などに取り付けられる）、当該光透過レンズは機械的に方向を変えることができるようになっている。そこで、（ａ）、（ｂ）に示したように、レンズの歩行を変えることで光源からの光の照射方向を動かすことができるようになっている。
【００７３】
<効果>
【００７４】
本実施例により、光の照射位置をレンズの動きによって変えることで、道路標示の発光輝度がほぼ均一になるようにすることが可能となる。
【実施例３】
【００７５】
<概要>
【００７６】
本実施例は、実施例１又は２における道路標示照射システムと基本的に共通する。ただし、本実施例の道路標示照射システムは、道路標示の表面に蓄光材又は蛍光材を塗布したビーズが配置されている点に特徴がある。
【００７７】
<構成>
【００７８】
（全般）
【００７９】
本実施例における道路標示照射システムは実施例１又は２における道路標示照射システムと基本的に共通するが、本実施例では、道路標示の表面に蓄光材又は蛍光材を塗布したビーズが配置される。ここで「ビーズ」とは、ガラス、プラスチック、セラミックなどを材料とする小球状（直径０．１〜１ミリメートル程度）の部材をいう。
【００８０】
なお、ここで「蓄光材又は蛍光材を塗布したビーズを配置する」方法として、例えば、一つ一つのビーズの表面に蓄光材又は蛍光材を塗布したものを道路標示の表面に配置する方法が考えられるが。このような方法に限られるものではない。例えば、液状の蓄光材又は蛍光材を凹部に流し込んで蓄光層又は蛍光層を形成する方法を用いるとともに、蓄光材等を流し込む際に蓄光材又は蛍光材を塗布していないビーズも一緒に流し込み、ビーズが表面に現れた状態の蓄光層等を形成するという方法でもよい。従って、この場合には、蓄光層等を流し込む量は、蓄光層が形成された時に表面にビーズが現れる程度の量に規制される。
【００８１】
なお、形状は、小球状のほか、ダイヤモンドカット状など他の形状であってもよい。また、ビーズを配置した蓄光層の上面にさらに透明保護層を配置してもよい。
【００８２】
その余の製造方法は実施例１又は２に述べたところと同様である。
【００８３】
<効果>
【００８４】
本実施例によれば、ビーズを配置した道路標示表面の乱反射により、道路標示の夜間における視認性をさらに向上させることが可能となる。
【図１】
2015005455.tif 000003
【図２】
2015005455.tif 000004
【図３】
2015005455.tif 000005
【図４】
2015005455.tif 000006